【手続補正書】
【提出日】平成16年8月30日(2004.8.30)
【手続補正１】
【補正対象書類名】明細書
【補正対象項目名】特許請求の範囲
【補正方法】変更
【補正の内容】
【特許請求の範囲】
【請求項１】
流体処理要素であって、
第１および第２の長さ方向端面を有する流体処理パックであって、第１および第２の側面を有する流体処理層と、前記流体処理層の前記第１の側面上の流体処理パックの長さよりも短く延びるシーリングストリップであって、流体が前記第１の長さ方向端面を通って前記流体処理層の第１の側面において流体処理パックに流れ込むことを防止するシーリングストリップとを含む流体処理パックを備える、流体処理要素。
【請求項２】
流体処理要素であって、
流体処理媒体を含む中空流体処理パック、及び
前記流体処理パックによって囲まれたコアであって、流体が、前記コアの内部と前記流体処理パックの長さの少なくとも５０％にわたって連続して延びる前記流体処理パックとの間で流れることができないブラインド領域を有するコア、
を備える、流体処理要素。
【請求項３】
クロスフローろ過に適合された流体処理要素であって、流体処理層と、前記流体処理層の第１の側面上に配置された第１のメッシュ層と、前記流体処理層の第２の側面上に配置された第２のメッシュ層とを有する流体処理パックを備え、前記流体処理要素が、前記第１のメッシュ層内部の前記流体処理要素の長さ方向に流れる処理すべきプロセス流体用流路および前記第２のメッシュ層を通過する浸透流体用流路を規定する、流体処理要素。
【請求項４】
流体処理アセンブリであって、
プロセス流体室と、浸透流体室と、保持流体室とを有する、ハウジングと、
前記ハウジング内に配置され、かつ、半径方向の内部側面および半径方向の外部側面を有するプリーツの付いた流体処理層を含む、円筒状の流体処理要素と、
を備え、
前記流体処理要素が、前記プロセス流体室と前記保持流体室との間の前記流体処理層の半径方向の内部側面に沿って、前記流体処理要素の長さ方向に前記流体処理要素を通過する、第１の流路と、前記プロセス流体室と前記浸透流体室との間の前記流体処理層を通過する、第２の流路とを画成する、
流体処理アセンブリ。
【請求項５】
流体処理要素であって、
流体処理パックであって、流体が前記流体処理パックの長さ方向に流れることができ、かつ、前記流体処理要素の中空中心を囲む、流体処理パックと、
前記中空中心に配置され、前記中空中心を通る前記流体処理要素の長さ方向の流体の流れを部分的に制限する、流れ制限部と、
を備える、流体処理要素。
【請求項６】
流体処理装置において、
中空中心および第１および第２の長さ方向端部を有し、前記中空中心を囲み且つ流体処理媒体を含む流体処理パックを有する、第１の流体処理要素であって、前記流体処理パックを通る前記第１および第２の端部の間の第１の流路、および前記第１および第２の端部間の前記中空中心を通り、かつ前記流体処理パックをバイパスする第２の流路を画成する第１の流体処理パックと、前記中空中心に配置され、前記中空中心を通る前記流体処理要素の長さ方向に流体の流れを部分的に制限する流れ制限部とを有する、前記第１の流体処理要素、及び
前記第１の流体処理要素の前記第１および第２の流路に沿って通る流体を受け入れるように、前記第１の流体処理要素と直列に接続された前記第２の流体処理要素であって、前記第２の流体処理要素の流体処理パックを通過する第１の流路を画成する第２の流体処理要素、
を備える、流体処理装置。
【請求項７】
流体処理媒体を含む流体処理パックと、前記流体処理パックを囲み、かつ、流体が前記流体処理パックをバイパスする間に、前記流体処理要素の長さ方向に流れることができるバイパス通路とを含む流体処理要素であって、前記バイパス通路が、前記第１の処理要素の第１の長さ方向端部にある入口および前記流体処理要素の第２の長さ方向端部にある出口を有し、前記バイパス通路の内部が前記入口と前記出口との間で前記流体処理パックから分離されている、流体処理要素。
【請求項８】
流体処理装置であって、
流体処理媒体を含む流体処理パックと、前記流体処理パックを囲む第１の部材と、前記第１の部材を囲む第２の部材であって、流体が前記流体処理パックをバイパスする間に、第１の流体処理要素の長さ方向に流れることができる、前記第１の部材と第２の部材との間のバイパス通路を画成する第２の部材とを含む、第１の流体処理要素と、
前記流体処理パックと、前記第１の流体処理要素の前記バイパス通路とを通過する流体を受け入れるように前記第１の流体処理要素と直列に接続されている第２の流体処理要素と、
を備える、流体処理装置。
【請求項９】
流体処理装置において、
第１および第２の面を有する疎水性ガス孔膜を含む円筒状の流体処理要素であって、前記膜の前記第１の面上の前記流体処理要素の長さ方向の第１の流路および前記膜の前記第２の面上の前記流体処理要素の長さ方向の第２の流路を規定する前記円筒状の流体処理要素と、
前記第１の流路に流体的に連結され、溶解ＣｌＯ２を含む水溶液を前記流体処理要素に供給する、ＣｌＯ２発生器と、
前記第２の流路に流体的に連結された、ＣｌＯ２を入れる流体供給源と、
を備える、流体処理装置。
【請求項１０】
流体処理アセンブリであって、
ハウジングであって、第１乃至第４の管板を有し、前記ハウジングの長さ方向に前記管板によって、第１のチャンバと、前記第１の管板と前記第２の管板との間に位置し、かつ、前記第１の管板によって前記第１のチャンバから分離される第２のチャンバと、前記第２の管板と前記第３の管板との間に位置する第３のチャンバと、前記第３の管板と前記第４の管板との間に位置する第４のチャンバと、前記第４の管板によって前記第４のチャンバから分離された第５のチャンバとに分割され、前記チャンバがそれぞれ前記チャンバと前記ハウジングの外部との間を連結する流体ポートを有する、前記ハウジングと、
前記第２のチャンバに配置され、かつ、前記第１および第２の管板の開口を通して前記第１および第３のチャンバと流体的に連通する、少なくとも一つの流体処理要素と、
前記第４のチャンバに配置され、かつ、前記第３および第４の管板の開口を通して前記第３および第５のチャンバと流体的に連通する、少なくとも一つの流体処理要素と、
を備える、流体処理アセンブリ。
【請求項１１】
流体処理要素であって、
軸方向に延びるプリーツを有し、かつ、流体処理層と、前記流体処理層の第１の側面上の第１の排水層と、前記流体処理層の第２の側面上の第２の排水層とを含むプリーツ付き複合物を含む流体処理パック、
前記流体処理パックの第１の長さ方向端部を封止する第１の開放端キャップと、前記流体処理パックの第２の長さ方向端部を封止する第２の開放端キャップ、及び
前記流体処理パックによって囲まれたコアであって、第１および第２の開放端と、前記コアの前記第１の開放端に隣接し、ブラインド内部端を有する第１の孔あき領域と、前記コアの前記第２の開放端に隣接し、ブラインド内部端を有する第２の孔あき領域とを有し、流体が前記コアの外側でのみ前記孔あき領域間を流れることができるようになっているコア、
を備える、流体処理要素。
【請求項１２】
流体処理要素であって、
半径方向の内部側面と半径方向の外部側面と中空中心とを有する流体処理層と、プロセス流体が前記流体処理層の半径方向の外部側面に流れ込むことができるが、前記流体処理層の半径方向の内部側面に流れ込むことができないように構成された第１の長さ方向端部と、長さ方向端面を有する第２の長さ方向端部であって、流体が前記長さ方向端面を通って流れることを防止するように密封された第２の長さ方向端部と、を含む、プリーツ付き処理パック、及び
前記流体処理パックを囲み、かつ、前記流体が前記流体パックの第２の長さ方向端部の近くの領域以外で、前記流体処理パックと前記流体処理要素の外部との間で、前記流体処理要素の半径方向に流れることを防止する管、
を備える、流体処理要素。
【請求項１３】
流体処理要素であって、
流体が流れ込むことができる２つの長さ方向端面を有する、中空の、プリーツ付きの流体処理パックと、
前記流体処理パックを囲み、流体が前記長さ方向端面間で前記流体処理要素の外部から前記流体処理パックに流れ込むことを防止する、流体不浸透性部材と、
前記流体処理要素の第１の長さ方向端部を流体処理ハウジングの管板に封止する、封止部材と、
前記流体処理パックの前記中空中心とつながっており、かつ前記流体処理パックの前記長さ方向端面の中の１つから外側に延びる、管と、
前記管を流体処理ハウジングの管板に封止する封止部材と、
を備える、流体処理要素。
【請求項１４】
流体処理アセンブリであって、
第１および第２の管板と、前記第１の管板に隣接する第１のチャンバと、前記第１および第２の管板間にあり、かつ前記第１のチャンバから前記第１の管板によって分離された第２のチャンバと、前記第２の管板に隣接し、かつ前記第２の管板によって前記第２のチャンバから分離された第３のチャンバとを含む、流体処理ハウジング、及び
前記第２のチャンバに配置され、かつ流体が流れることができる第１および第２の長さ方向端面を有する中空のプリーツ付きの流体処理パックと、前記第１の管板に接続された第１の長さ方向端部と、前記流体処理パックの中空中心とつながっており、かつ前記第２の管板に接続された管と、前記流体処理パックを囲み、流体が前記流体処理パックの前記第２の長さ方向端面を通ることを除いて前記第２のチャンバから前記流体処理パックに流れ込むことを防止する流体不浸透性部材とを含む流体処理要素、
を備える、流体処理アセンブリ。
【請求項１５】
流体処理アセンブリであって、
中空中心とプリーツ付きの流体処理パックとを有し、前記流体処理パックが、中空中心と前記流体処理パックの第１の長さ方向端部に接続されたブラインド端キャップと前記流体処理パックの第２の長さ方向端部に接続された開放端キャップとを囲むように構成されている、流体処理要素、及び
前記流体処理要素を含むハウジングであって、前記流体処理要素の外部上の前記ハウジングの領域上へ開いている第１の流体ポートと、前記流体処理要素の外部上の前記ハウジングの領域上へ開いている第２の流体ポートと、前記流体処理パックの前記中空中心とつながっている第３の流体ポートとを含む、ハウジング、
を備え、前記流体処理要素が、前記第１の流体ポートと第２の流体ポートとの間に配置され、前記ハウジングが、前記流体処理パックを通過する前記第１および第２の流体ポート間の流路が、前記流体処理パックと前記ハウジングとの間を通過する前記第１および第２の流体ポート間の流路よりも低い流れの抵抗を生じるように十分に接近して前記流体処理要素を囲むように構成された、流体処理アセンブリ。
【請求項１６】
流体が流れることができる第１および第２の開放端を有し、かつ前記流体処理要素の前記開放端間に配置されたプリーツ付きの流体処理パックと、前記流体処理パックを囲み、かつ、前記流体処理要素の長さ方向の中間部を除いて、その外部から流体が前記流体処理パックに流れ込むことを防止する流体不浸透性部材とを備える、流体処理要素。
【請求項１７】
流体処理方法であって、
プロセス流体を、半径方向の内部側面および半径方向の外部側面を有する流体処理層を含む円筒状流体処理パックに導入し、
前記プロセス流体を前記流体処理層の前記半径方向の内部側面に沿って前記流体処理パックの長さ方向に流し、前記流体処理層の半径方向の内部側面上に流体剪断力を生じさせ、
前記プロセス流体の一部を前記流体処理層を通して前記流体処理層の半径方向の外部側面に流し、浸透流体を生じさせ、
前記流体処理要素から前記流体処理層を通過しない前記浸透流体及び前記プロセス流体を排出する、
ことを含む、流体処理方法。
【請求項１８】
流体処理方法であって、
プロセス流体を流体処理要素の第１の長さ方向端部で流体処理層の第１の側面上の第１のメッシュ層に導入し、
前記プロセス流体を前記流体処理要素の第２の長さ方向端部の方へ前記第１のメッシュ層内で前記流体処理パックの長さ方向に流し、前記流体処理層の前記第１の側面に流体剪断力を生成し、
前記プロセス流体の一部を前記流体処理層を通って前記流体処理層の前記第２の側面の第２のメッシュ層に流す、
ことを含む、流体処理方法。
【請求項１９】
流体処理方法であって、
流体処理パックの長さ方向端面を通して流体を前記流体処理パックの流体処理層の第１の側面上の第１のメッシュ層に導入し、
前記流体処理層を通して前記流体の一部を前記流体処理層の第２の側面上の第２のメッシュ層に流す、
ことを含む、流体処理方法。
【請求項２０】
流体処理方法であって、
プロセス流体を流体処理層および前記流体処理層の片側に配置された排水メッシュを有する流体処理要素に導入し、前記排水メッシュが前記流体処理要素の長さ方向に対して対角線方向に延びる第１および第２のストランドのセットを有し、
前記プロセス流体を前記流体処理要素の長さ方向に前記排水メッシュを通して流し、前記流体処理層の表面に沿って流体剪断力を生じさせ、
前記プロセス流体の一部を前記流体処理層を通して流し、浸透流体を形成する、
ことを含む、流体処理方法。
【請求項２１】
流体処理方法であって、
流体を第１の流体処理要素にその第１の長さ方向端部で導入し、
前記流体の第１の部分を第１の流路に沿って前記第１の流体処理要素の流体処理パックを通して流し、かつ前記流体の第２の部分を第２の流路に沿って前記流体処理パックをバイパスして前記流体処理要素を通して流し、
前記第１および前記第２の流路に沿って流した流体を前記流体処理要素の第２の長さ方向端部で結合し、 
結合された流体を前記第１の流体処理要素から排出する、
ことを含む、流体処理方法。
【請求項２２】
流体処理方法であって、
第１の流体ストリームを、前記流体処理要素の流体処理層の第１の側面上に、プリーツ付き流体処理要素の長さ方向に前記流体処理要素を通して流し、
第２の流体ストリームを、流体処理層の第２の側面上に、前記流体処理要素の長さ方向に前記流体処理要素を通して流し、
２つの流体ストリーム間で前記流体処理層を横切って物質を移送する、
ことを含む、流体処理方法。
【請求項２３】
流体を、流体処理層を通って前記流体処理層の第１の側面から第２の側面に流し、前記流体を処理し、次に前記流体処理要素の長さ方向に前記流体処理層の前記第１の側面に沿って液体とガスを流すことによって、前記流体処理要素をクリーニングする、流体処理方法。
【請求項２４】
流体処理方法であって、
流体を流体処理要素の流体処理層を通して第１の方向に流し、
液体およびガスの混合物を前記流体処理層を通して第２の方向に流し、粒子を前記流体処理層から取り除き、
流体およびガスの混合物および前記取り除かれた粒子を前記流体処理要素から排出する、
ことを含む、流体処理方法。
【請求項２５】
流体処理方法であって、
プロセス流体を、プリーツ付きの流体処理要素の中空中心に、前記流体処理要素の第１の長さ方向端部で導入し、
前記プロセス流体を、外方へ、前記中空中心から前記中空中心を囲む流体処理パックに流し、 
前記流体処理パック内の前記プロセス流体を、前記流体処理要素の流体処理層の第１の表面に沿って、前記流体処理要素の長さ方向に流し、
前記プロセス流体の一部を前記流体処理層を通して流し、
前記流体処理層を通過しないプロセス流体を前記流体処理要素の第２の長さ方向端部から排出する、
ことを含む、流体処理方法。
【請求項２６】
流体処理方法であって、
処理されるべき流体を、流体処理要素の流体処理層の第１の側面上で流体処理要素に導入し、
処理されるべき前記流体の全てを前記流体処理層を通して流し、
クリーニング流体を前記流体処理層の第１の側面上で流体処理要素に導入し、
前記クリーニング流体を前記流体処理層の前記第１の側面に沿って流すことによって前記流体処理層をクリーニングし、流体剪断力を前記流体処理層の前記第１の側面上に生成する、
ことを含む、流体処理方法。
【請求項２７】
流体処理方法であって、
第１の管板を通して、ハウジングの第１のチャンバからの流体を、前記第１の管板によって前記第１のチャンバから分離された前記ハウジングの第２のチャンバに配置されたプリーツ付きの流体処理要素の第１の長さ方向端部に導入し、
前記流体処理要素内の前記流体を、前記流体処理要素の長さ方向に、前記流体処理要素の流体処理層の半径方向の外部側面に沿って流し、流体不浸透性部材によって前記流体を前記流体処理要素に保持している間、流体剪断力を前記流体処理層の半径方向の外部側面上に生成し、
前記流体を前記流体処理要素から前記流体処理要素の第２の長さ方向端部の近くの前記第２のチャンバの中に半径方向外側へ排出する、
ことを含む、流体処理方法。
【請求項２８】
流体処理方法であって、
ハウジングの第１のチャンバからの流体を半径方向に前記第１のチャンバに配置された流体処理要素に導入し、
前記流体処理要素内の前記流体を前記流体処理要素の長さ方向に前記流体処理要素の流体処理層の半径方向の外部側面に沿って流し、流体不浸透性部材によって前記流体を前記流体処理要素に保持している間、流体剪断力を前記流体処理層の前記半径方向の外部側面上に生成し、
前記流体を前記流体処理要素の第１の長さ方向端部から第１の管板を通して前記第１の管板によって前記第１のチャンバから分離された前記ハウジングの第２のチャンバに排出する、
ことを含む、流体処理方法。
【請求項２９】
流体処理方法であって、
処理されるべき流体をプリーツ付きの流体処理要素に導入し、
前記流体を前記流体処理要素の流体処理層の第１の側面に沿って前記流体処理要素の第１の長さ方向端部の方へ前記流体処理要素の長さ方向に流し、
前記流体の一部を前記流体処理層を通して流し、
前記流体処理層を通過した前記流体の一部を前記流体処理要素の第２の長さ方向端部から排出し、
前記流体処理層を通過しない流体を前記流体処理要素の前記第１の長さ方向端部から排出する、
ことを含む、流体処理方法。
【請求項３０】
流体処理アセンブリであって、
流体処理パック、
前記流体処理パックを囲み、かつその第１および第２の長さ方向端部の開口と、前記第１および第２の端部の開口間に延び、かつ前記流体処理パックの長さの少なくとも約３０％に亘って延びる、開口なしのブラインド領域とを有する管、及び
それぞれフィルタパックの前記第１および第２の長さ方向端部に密封される第１および第２の端キャップ、
を備える、流体処理アセンブリ。
【請求項３１】
液体をその液体に溶解できるガスに接触させる装置であって、
ハウジングと、第１および第２の側面を有し、かつ前記第１および第２の側面のそれぞれに沿って第１の流路および第２の流路を画成するプリーツ付きの流体処理層とを含む、流体処理アセンブリ、
前記流体処理アセンブリの前記第１の流路に接続された前記ガスの供給源、及び
前記流体処理アセンブリの前記第２の流路に接続された前記液体の供給源、
を備える、液体を液体に溶解できるガスに接触させる装置。
【請求項３２】
溶解ガスを含む液体のガスを抜く装置であって、
ハウジングと、第１および第２の側面を有し、かつ前記第１および第２の側面のそれぞれに沿って第１の流路および第２の流路を画成するプリーツ付きの流体処理層とを含む、流体処理アセンブリ、
前記第１の流路に接続された前記液体の供給源、及び
前記第１の流路と前記第２の流路との間の圧力差、
を含む、溶解ガスを含む液体のガスを抜く装置。
【請求項３３】
液体をその液体に溶解できるガスに接触させる方法であって、
第１および第２の側面を有し、かつ前記第１および第２の側面のそれぞれに沿って第１の流路および第２の流路を画成するプリーツ付きの流体処理層を含む流体処理アセンブリを提供し、
前記ガスを前記第１の流路に沿って流し、
前記液体を前記第２の流路に沿って流し、
前記ガスの少なくとも一部を前記流体処理層を通して流し、前記液体中の前記ガスの溶液を得ること、
を含む、方法。
【請求項３４】
溶解ガスを含む液体のガスを抜く方法であって、
第１および第２の側面を有し、かつ前記第１および第２の側面のそれぞれに沿って第１の流路および第２の流路を画成するプリーツ付きの流体処理層を含む流体処理アセンブリを提供し、
前記液体を前記流体処理層の前記第１の側面および前記第２の側面のうちの一方に沿って流し、
前記流体処理層の前記第１の側面と前記第２の側面との間に圧力差をもたらす、
ことを含む、溶解ガスを含む液体のガスを抜く方法。
【請求項３５】
粒子を含むプロセス流体を処理する流体処理方法であって、
第１の側面および第２の側面を有する流体処理媒体を含むプリーツ付きの流体処理要素を提供し、
前記プロセス流体を前記プリーツ付き流体処理要素に導入し、
前記流体処理媒体の前記第１の側面から前記プロセス流体の少なくとも一部を前記要素の流体処理媒体を通して前記第２の側面に流し、
クリーニングガスを前記流体処理媒体の前記第１の側面に沿って流し、粒子を前記流体処理媒体の前記第１の側面から除去する、
ことを含む、流体処理方法。
【請求項３６】
粒子を含むプロセス流体を処理する流体処理方法であって、
第１の側面および第２の側面を有する流体処理媒体を含むプリーツ付きの流体処理要素を提供し、
前記プロセス流体を前記流体処理媒体の前記第１の側面に隣接する排水層に導入し、
前記プロセス流体の少なくとも一部を前記流体処理媒体を通して前記流体処理媒体の前記第２の側面に流し、
クリーニングガスを前記排水層に導入し、かつ前記クリーニングガスを前記流体処理媒体の前記第１の側面に沿って流し、粒子をそれから除去し、
前記粒子を前記流体処理要素から排出する、
ことを含む、流体処理方法。
【請求項３７】
粒子を含むプロセス流体を処理する流体処理方法であって、
第１の側面と第２の側面とを有する流体処理媒体を含む、複数の相互に接続されたモジュールを含む装置を提供し、
前記プロセス流体を各モジュールの第１の導管を通して前記装置に導入し、
前記プロセス流体の少なくとも一部を、各モジュールの前記流体処理媒体を通して前記流体処理媒体の前記第１の側面から前記第２の側面に流し、
クリーニングガスを各モジュールの第２の導管を通して各モジュールに導入し、
前記クリーニングガスを各流体処理要素の前記流体処理媒体の前記第１の側面に沿って流し、粒子を前記流体処理媒体の前記第１の側面から除去し、
前記クリーニングガスおよび前記粒子を前記流体処理要素から各モジュールの第３の導管に排出する、
ことを含む、流体処理方法。
【請求項３８】
流体処理装置であって、
第１および第２の長さ方向端部を有し、かつ、流体処理媒体を含む、プリーツ付きの流体処理要素と、
前記流体処理要素を含み、かつ、前記第１の長さ方向端部と連結されている第１の流体ポートと、前記流体処理要素の前記第２の長さ方向端部と連結されている第２および第３の流体ポートとを有するハウジングであって、前記流体が、前記流体処理媒体を通過しないで前記第１のポートから前記流体処理要素を通して前記第２および第３のポートに流れる、前記ハウジングと、
前記第１および第２の流体ポートのうちの１つに接続された処理すべき液体の供給源と、
前記第３の流体ポートに接続されたクロスフロークリーニングガスの供給源と、
を備える、液体処理装置。
【請求項３９】
流体処理装置であって、
第１および第２の側面を有する流体処理媒体および前記流体処理媒体の前記第１の側面上の排水層を有する流体処理要素と、
前記流体処理要素を含み、かつ第１の長さ方向端部とつながっている第１の流体ポートと、前記流体処理要素の第２の長さ方向端部とつながっている第２および第３の流体ポートとを有するハウジングであって、前記流体が、前記流体処理媒体を通過しないで前記第１のポートから前記排水層を通して前記第２および第３のポートに流れる、前記ハウジングと、
前記第１および第２の流体ポートのうちの１つに接続された処理すべき液体の供給源と、
前記第３の流体ポートに接続されたクロスフロークリーニングガスの供給源と、
を備える、液体処理装置。
【請求項４０】
流体処理モジュールであって、
第１のヘッダの外部表面と流体的に連結された孔を有する第１のヘッダと、第２のヘッダの外部表面と流体的に連結された第１および第２の孔を有する第２のヘッダとであって、前記ヘッダの各々が、複数のモジュールがアセンブリを形成するために並んで接続できるように他のモジュールの対応する前記ヘッダと流体的に結合するように適合されている、前記ヘッダと、
前記第１および第２のヘッダ間で延びるケーシングと、
前記ケーシングに配置され、かつ前記第１および第２の側面を有する流体処理媒体を含む流体処理要素と、
を備え、前記第１のヘッダの前記孔が、前記流体処理媒体の前記第１の側面とつながっており、かつ前記第２のヘッダの前記孔が前記流体処理媒体の前記第２の側面と連結された、流体処理モジュール。
【請求項４１】
流体処理アセンブリであって、各々が、第１のヘッダと、第２のヘッダと、前記第１のヘッダと第２のヘッダとの間に延びるケーシングと、前記ケーシングに配置された流体処理媒体を有する流体処理要素とを含む複数の流体処理モジュールを備え、前記第１のヘッダの各々が、前記第１のヘッダの外部表面とつながっている第１の孔を含み、かつ前記第２のヘッダの各々が、前記第２のヘッダの外部表面とつながっている第１および第２の孔を含み、前記モジュールが、前記第１のヘッダの前記孔が相互接続され、前記第２のヘッダの前記第１の孔が相互接続され、かつ前記第２のヘッダの前記第２の孔が相互接続されるように互いに接続され、各モジュールにおいて、流体が、前記流体処理要素の前記流体処理媒体を通過しないで前記第１のヘッダの前記孔と前記第２のヘッダの前記孔のいずれかとの間で前記流体処理要素を通して流れる、流体処理アセンブリ。
【請求項４２】
第１の側面および第２の側面を有する流体処理層を含む流体処理要素をクリーニングする方法であって、前記第１および第２の側面の少なくとも一方がその上に付着された粒子を有し、前記方法が、クリーニングガスを最初に流体処理層を通過させないでその上に付着された粒子を有する前記流体処理層の前記側面に沿って流すことを含む、前記方法。
【請求項４３】
全フッ素重合体製の流体処理アセンブリであって、
流体処理パックと、
前記流体処理パックを囲み、かつその第１および第２の長さ方向端部の開口と、前記第１および第２の長さ方向端部の前記開口間に延びるとともに前記流体処理パックの長さの少なくとも３０％に亘って延びる、開口なしのブラインド領域を有する管と、
前記流体処理パックの前記第１および第２の長さ方向端部をそれぞれ密封する第１および第２の端部キャップと、
を備え、前記流体処理アセンブリの全ての構成要素がフッ素重合体で構成された、流体処理アセンブリ。
【請求項４４】
クロスフローろ過に適した流体処理要素であって、
第１及び第２の長さ方向端部と、流体処理層と、前記流体処理層の第１の側面に配される第１のメッシュ層と、前記流体処理層の第２の側面に配される第２のメッシュ層とを有する流体処理パックを備え、前記流体処理要素は処理すべきプロセス流体を前記流体処理要素の長さ方向に前記第１のメッシュ層内に通す流路と透過流体を前記第２のメッシュ層内に通す流路とを画定し、前記第１のメッシュ層が前記第１の長さ方向端部において開いており、前記第２のメッシュ層が前記第１の長さ方向端部において封止剤を含んでおり、これにより流体が前記第１のメッシュ層内へ前記第１の長さ方向端部を通って流れることが可能であるが前記第２のメッシュ層内へは流れることができないように構成される、流体処理要素。
【請求項４５】
流体処理要素であって、
第１及び第２の長さ方向端部と、プリーツ付きの流体処理媒体と、前記流体処理媒体の第１の側面に配置されており、前記流体処理要素の長さ方向に延びる平行なストランドを有するメッシュを含む第１の排水媒体であって前記メッシュの表面に概ね平行な方向の低い縁方向流れ抵抗を有する第１の排水媒体と、前記流体処理媒体の第２の側面に配置される第２の排水媒体とを備え、前記第１の排水媒体が前記第１の長さ方向端部に開放しており、前記第２の排水媒体が前記第１の長さ方向端部に封止剤を含んでおり、これにより流体が前記第１の排水媒体へ前記第１の長さ方向端部を通って流れることが可能であるが前記第２の排水媒体へは流れることができないようになっており、前記プリーツ付きの流体処理媒体が複数の長さ方向のプリーツを有しており、前記プリーツの各々が頂部と底部と一対の脚部とを有しており、各プリーツの脚部はそのプリーツの前記頂部において互いに連結されるとともにそのプリーツの底部において隣接するプリーツの脚部に連結されており、前記流体処理要素は処理されるべきプロセス流体が前記第１の排水媒体内を前記流体処理要素の長さ方向に流すための流路を画成する、流体処理要素。
【請求項４６】
流体処理要素であって、
プリーツ付きの流体処理媒体と、前記流体処理媒体の第１の側面に配置されており、前記流体処理要素の長さ方向に延びる平行なストランドを有するメッシュを含む第１の排水媒体であって前記メッシュの表面に概ね平行な方向に低い縁方向の流れ抵抗を有する第１の排水媒体と、前記流体処理媒体の第２の側面に配置される第２の排水媒体とを有する流体処理パックを備え、前記プリーツ付きの流体処理媒体が複数の長さ方向のプリーツを有し、前記プリーツの各々が頂部と底部と一対の脚部とを有しており、各プリーツの脚部はそのプリーツの前記頂部において互いに連結されるとともにそのプリーツの底部において隣接するプリーツの脚部に連結されており、
前記流体処理要素は更に、前記流体処理パックにより囲まれている第１及び第２の長さ方向端部を有するコアであって、流体が前記コアの内部と前記流体処理パックとの間を流れることができないブラインド領域と、少なくとも一方の前記長さ方向端部に隣接する、流体が前記コアの内部と前記流体処理パックとの間を流れることができる孔空き領域とを有するコアを備え、
前記流体処理要素が、処理されるべきプロセス流体が前記第１の排水媒体内を前記流体処理要素の長さ方向に流すための流路を画成する、流体処理要素。
【請求項４７】
流体処理要素であって、
プリーツ付きの流体処理媒体と、前記流体処理媒体の第１の側面に配置されており、前記流体処理要素の長さ方向に延びる平行なストランドを有するメッシュを含む第１の排水媒体であって、前記メッシュの表面に概ね平行な方向に低い縁方向の流れ抵抗を有する第１の排水媒体と、前記流体処理媒体の第２の側面に配置される第２の排水媒体とを有する流体処理パックを備え、前記プリーツ付きの流体処理媒体は、複数の長さ方向プリーツを有し、各プリーツが頂部と底部と一対の脚部とを有しており、各プリーツの脚部はそのプリーツの前記頂部において互いに連結されるとともにそのプリーツの前記底部において隣接するプリーツの脚部と連結されており、
前記流体処理要素は更に、前記流体処理パックにより囲まれている第１及び第２の長さ方向端部を有するコアであって、流体が前記コアの内部と前記流体処理パックとの間を流れることができないブラインド領域と、両長さ方向端部に隣接する、流体が前記コアの内部と前記流体処理パックとの間を流れることができる領域とを有するコアを備え、
前記流体処理要素が、処理されるべきプロセス流体が前記第１の排水媒体内を前記流体処理要素の長さ方向に流すための流路を画成する、流体処理要素。
【請求項４８】
流体処理要素であって、
プリーツ付きの流体処理媒体と、前記流体処理媒体の第１の側面に配置されており、前記流体処理要素の長さ方向に延びる平行なストランドを有するメッシュを含む第１の排水媒体であって、前記メッシュの表面に概ね平行な方向に低い縁方向の流れ抵抗を有する第１の排水媒体と、前記流体処理媒体の第２の側面に配置される第２の排水媒体とを有する流体処理パックを備え、前記プリーツ付きの流体処理媒体は、複数の長さ方向プリーツを有し、各プリーツが頂部と底部と一対の脚部とを有しており、各プリーツの脚部はそのプリーツの前記頂部において互いに連結されるとともにそのプリーツの前記底部において隣接するプリーツの脚部と連結されており、
前記流体処理要素は更に、前記流体処理パックにより囲まれている第１及び第２の長さ方向端部を有するコアであって、前記流体処理パックの長さ全体より短い長さに亘って延び、流体が前記コアの内部と前記流体処理パックとの間を流れることができないブラインド領域を有するコアを備え、
前記流体処理要素が、処理されるべきプロセス流体が前記第１の排水媒体内を前記流体処理要素の長さ方向に流すための流路を画成する、流体処理要素。
【請求項４９】
流体処理要素であって、
プリーツ付きの流体処理媒体と、前記流体処理媒体の第１の側面に配置されており、前記流体処理要素の長さ方向に延びる平行なストランドを有するメッシュを含む第１の排水媒体であって、前記メッシュの表面に概ね平行な方向に低い縁方向の流れ抵抗を有する第１の排水媒体と、前記流体処理媒体の第２の側面に配置される第２の排水媒体とを有する流体処理パックを備え、前記プリーツ付きの流体処理媒体は、複数の長さ方向プリーツを有し、各プリーツが頂部と底部と一対の脚部とを有しており、各プリーツの脚部はそのプリーツの前記頂部において互いに連結されるとともにそのプリーツの前記底部において隣接するプリーツの脚部と連結されており、
前記流体処理パックは、第１及び第２の端部領域であって、そこを通って流体が前記流体処理パックの外側と前記流体処理パックとの間を流れることができるようになっている第１及び第２の端部領域と、前記第１及び第２の端部領域の間の中間領域であって、そこを通って流体が前記流体処理パックの外側と前記流体処理パックとの間を流れることができないようになっている中間領域とを有しており、
前記流体処理要素が、処理されるべきプロセス流体が前記第１の排水媒体内を前記流体処理要素の長さ方向に流すための流路を画成する、流体処理要素。
【請求項５０】
流体処理要素であって、
流体入口と、
流体出口と、
流体処理媒体を含む流体処理パックであって、中空内部、前記中空内部内に配置される障壁であって、前記中空内部と前記流体処理パックとの間を流体が流れることができないブラインド領域を前記中空内部と前記流体処理パックとの間を流体が流れることができる開放領域から分離して、流体が前記ブラインド領域と前記開放領域との間を流れることを防止する障壁、及び封止端部を有する端部領域を有する流体処理パックと、
を備え、前記流体処理要素が、流体を前記流体入口と前記流体出口との間の前記流体処理媒体の第１の側面において長さ方向に流すための第１の流路と、前記第１の流路から前記流体処理媒体の第２の側面へ、または前記流体処理媒体の第２の側面から前記第１の流路へ、流体を前記流体処理媒体を通して流すための第２の流路とを画成する、流体処理要素。